(57)【要約】【課題】  刈払機用回転刃の外周縁に防護刈刃と防護刈刃の回転軌跡より内方向に位置する刈払い刈刃とを交互に配設することにより、小石やコンクリートなどの障害物を防護刈刃が弾いて刈払い刈刃を防護するようにした、刈払機用回転刃に関するものである。【解決手段】円形状の平板の外周縁２に防護刃形４を形成し、該防護刃形４の前端部に刈刃６を固着してなる防護刈刃８と、円形状の平板の外周縁２に刈払い刃形１０を防護刃形先端の回転軌跡より内方向に段差を設けて形成し、該刈払い刃形１０の前端部に刈刃６を固着してなる刈払い刈刃１２で構成し、防護刈刃８及び刈払い刈刃１２を交互に配設するだけでなく、複数の防護刈刃８及び複数の刈払い刈刃１２を交互に配設する。さらに防護刈刃８及び段違い刈払い刈刃１４を交互に配設する。【選択図】図１
2016096817.tif 000002
【特許請求の範囲】
【請求項１】
円形状の平板の外周縁に多数の刃形を形成し該刃形の前端部に刈刃を固着してなる刈払機用回転刃において、円形状の平板の外周縁に防護刃形を形成し該防護刃形の前端部に刈刃を固着してなる防護刈刃と、円形状の平板の外周縁に刈払い刃形を防護刃形先端の回転軌跡より内方向に段差を設けて形成し該刈払い刃形の前端部に刈刃を固着してなる刈払い刈刃で構成し、防護刈刃及び刈払い刈刃を交互に配設したことを特徴とする、刈払機用回転刃。
【請求項２】
円形状の平板の外周縁に多数の刃形を形成し該刃形の前端部に刈刃を固着してなる刈払機用回転刃において、円形状の平板の外周縁に防護刃形を形成し該防護刃形の前端部に刈刃を固着してなる防護刈刃と、円形状の平板の外周縁に刈払い刃形を防護刃形先端の回転軌跡より内方向に段差を設けて形成し該刈払い刃形の前端部に刈刃を固着してなる刈払い刈刃で構成し、複数の防護刈刃及び複数の刈払い刈刃を交互に配設したことを特徴とする、刈払機用回転刃。
【請求項３】
円形状の平板の外周縁に多数の刃形を形成し該刃形の前端部に刈刃を固着してなる刈払機用回転刃において、円形状の平板の外周縁に防護刃形を形成し該防護刃形の前端部に刈刃を固着してなる防護刈刃と、円形状の平板の外周縁に複数の刈払い刃形を防護刃形先端の回転軌跡より内方向に異なる段差を設けて形成し該複数の刈払い刃形の前端部に刈刃を固着してなる段違い刈払い刈刃で構成し、防護刈刃及び段違い刈払い刈刃を交互に配設したことを特徴とする、刈払機用回転刃。
【発明の詳細な説明】
【技術分野】
【０００１】  この発明は、刈払機用回転刃の外周縁に防護刈刃と防護刈刃の回転軌跡より内方向に位置する刈払い刈刃とを交互に配設することにより、小石やコンクリートなどの障害物を防護刈刃が弾いて刈払い刈刃を防護するようにした、刈払機用回転刃に関するものである。
【背景技術】
【０００２】  現在普及している刈払機用の回転刃は、円形状の平板の外周縁に多数の超硬製の刈刃が同心円状に設けられている。雑草を刈る際に、高速回転させた回転刃を小石やコンクリートなどの障害物に接触させて多くの刈刃を損傷させる事は頻繁にある。刈刃の損傷が激しいと刈払い機能の低下を招き、回転刃の交換及び研磨が必要となる。
特許文献１は、歯形に超硬チップを接合しその後方に超硬チップの回転軌跡より外方向にガード突起を形成して超硬チップの損傷を防いでいる。
特許文献２は、回転刃本体の外周に設けられる刃の一部に、前記刃の外方に突出するように凸部を設けて刃の損傷を防いでいる。
【先行技術文献】
【０００３】
【特許文献１】特開２００１−１２８５３０
【特許文献２】特開２００５−１０２６８２
【発明の概要】
【発明が解決しようとする課題】
【０００４】現在普及している刈払機用回転刃の多くは、円形状の平板の外周縁に多数の刃形が同心円状に設けられ、前記刃形に超硬製の刈刃が固着されている。回転刃を高速回転させながら作業面を刈っている際に、雑草に隠れた小石やコンクリートなどの障害物に回転刃を勢いよく接触させて多くの超硬製の刈刃を損傷又は磨滅させることは頻繁にある。けっか、刈払い機能低下による作業能率の低下及び疲労の増加、回転刃の交換や研磨の増加によるコストの増加などを招く。【０００５】特許文献１は、円板状の刃板の外周縁に形成した歯型の後方に超硬チップ先端の回転軌跡より外方向にガード突起を形成したガード歯型と通常歯型を交互に配設して、障害物から通常歯型を守っている。【０００６】特許文献２は、回転刃本体の外周に設けられた刃の一部に、前記刃の外方に突出するように凸部を設け、凸部が障害物を弾くことにより刃を守っている。【０００７】上記の特許文献１及び特許文献２は、回転刃に固着した超硬製の刈刃の回転軌跡より外方向にガード突起や凸部を設けて、障害物から超硬製の刈刃を防護する対策が施されている。しかし、前記ガード突起や凸部は回転刃本体の材質で構成されているために、超硬製の刈刃より耐摩耗性が劣る。けっか、ガード突起や凸部を石やコンクリートなどの障害物や硬い雑草に頻繁に接触させると磨滅や変形を招き、有効な防護機能を長期間維持するのは難しい。
本発明は、以上の問題点を解決するために発明されたものである。
【課題を解決するための手段】
【０００８】円形状の平板の外周縁に護刃形を形成し、該防護刃形の前端部に超硬製の刈刃を固着してなる防護刈刃と、円形状の平板の外周縁に刈払い刃形を防護刃形先端の回転軌跡より内方向に段差を設けて形成し、該刈払い刃形の前端部に超硬製の刈刃を固着してなる刈払い刈刃で構成し、防護刈刃及び刈払い刈刃を交互に配設するだけでなく、複数の防護刈刃及び複数の刈払い刈刃を交互に配設することもできる。【０００９】円形状の平板の外周縁に防護刃形を形成し、該防護刃形の前端部に超硬製の刈刃を固着してなる防護刈刃と、円形状の平板の外周縁に複数の刈払い刃形を防護刃形先端の回転軌跡より内方向かつ反回転方向に異なる段差を設けて形成し、該複数の刈払い刃形の前端部に超硬製の刈刃を固着してなる段違い刈払い刈刃で構成し、防護刈刃及び段違い刈払い刈刃を交互に配設する。
【発明の効果】
【００１０】本発明の刈払機用回転刃を用いた刈払い作業において、作業面が草のみの場合は、防護刈刃及び刈払い刈刃は通常の超硬製の刈刃付き回転刃と同等の機能を発揮する。作業面に小石やコンクリートなどの障害物が混在すると防護刈刃は、刈払い機能以外に防護機能を発揮する。
高速回転している防護刈刃の回転軌跡内に小石やコンクリートなどの障害物が入ると防護刈刃により障害物が弾かれる。けっか、防護刈刃より１ミリ程度内方向に位置する刈払い刈刃は障害物との接触を免れて良好な刈払い機能が長期間維持される。【００１１】しかし、防護刈刃が障害物との頻繁な接触で摩耗が進み刈払い機能が失われると、防護刈刃は草を外に押し出すように作用しますが、草の弾力性や反発力により押し戻されて刈払い刈刃に確りと掛かって切断される。
さらに、防護刈刃に固着した超硬製の刈刃は磨滅や変形に強いので、コンクリート際を滑らしながらコンクリート際に生えた草を刈ることも可能である。【００１２】けっか、本発明の刈払機用回転刃は、畑や畦畔の草、障害物が混在する作業面の草及びコンクリート際に生えた草などと活用範囲が広い。
さらに、刈払い機能維持による能率向上と疲労の軽減、回転刃の交換及び刈刃の研磨の減少によるコスト低減などが図れる効果がある。
そして、当発明の刈払機用回転刃の製造においても、円形状の平板及び超硬製の刈刃の材質並びに使用量は通常の回転刃と同様であり、製造コストの上昇を招かない利点がある。
【図面の簡単な説明】
【００１３】
【図１】本発明の刈払機用回転刃Ａであって、防護刈刃及び刈払い刈刃を交互に配設した正面図。
【図２】刈払機用回転刃Ａａの部分拡大図であって、防護刈刃先端の回転軌跡を二点鎖線で示すことにより、防護刈刃と刈払い刈刃の段差状況を示す。
【図３】刈払機用回転刃Ａｂの部分拡大図であって、防護刈刃先端の回転軌跡を二点鎖線で示すことにより、防護刈刃と段違い刈払い刈刃との段差状況を示す。
【図４】図２に示す刈払機用回転刃Ａａが障害物Ｂに接触したときの動きを示す平面図。
【発明を実施するための形態】
【００１４】  以下、本発明の第１の実施の刈払機用回転刃Ａを図１に基づいて説明する。円形状の平板の外周縁２に防護刃形４を形成し、該防護刃形４の前端部に超硬製の刈刃６を固着してなる防護刈刃８と、円形状の平板の外周縁２に刈払い刃形１０を防護刃形先端の回転軌跡より内方向に１ミリ程度の段差を設けて形成し、該刈払い刃形１０の前端部に超硬製の刈刃６を固着してなる刈払い刈刃１２で構成され、円形状の平板の外周縁２に防護刈刃８及び刈払い刈刃１２を交互に配設する。図１では防護刈刃８を１個及び刈払い刈刃１２を１個で交互に配設されている。
【００１５】  以下、本発明の第２の実施の刈払機用回転刃Ａａを図２に基づいて説明する。円形状の平板の外周縁２に防護刃形４を形成し、該防護刃形４の前端部に超硬製の刈刃６を固着してなる防護刈刃８と、円形状の平板の外周縁２に刈払い刃形１０を防護刃形先端の回転軌跡より内方向に１ミリ程度の段差を設けて形成し、該刈払い刃形１０の前端部に超硬製の刈刃６を固着してなる刈払い刈刃１２で構成され、複数の防護刈刃８及び複数の刈払い刈刃１２を交互に配設する。図２では防護刈刃８を２個及び刈払い刈刃１２を４個で交互に配設されている。又は、防護刈刃８を２個及び刈払い刈刃１２を２個などで交互に配設されてもよい。
【００１６】以下、本発明の第３の実施の刈払機用回転刃Ａｂを図３に基づいて説明する。円形状の平板の外周縁２に防護刃形４を形成し、該防護刃形４の前端部に超硬製の刈刃６を固着してなる防護刈刃８と、円形状の平板の外周縁２に複数の刈払い刃形１１を防護刃形先端の回転軌跡より内方向かつ反回転方向に異なる段差を階段状に設けて形成し、該複数の刈払い刃形１１の前端部に超硬製の刈刃６を固着してなる段違い刈払い刈刃１４で構成され、防護刈刃８及び段違い刈払い刈刃１４を交互に配設する。図３では、防護刈刃８を２個及び段違い刈払い刈刃１４を４個で交互に配設されている。又は、防護刈刃８を１個及び段違い刈払い刈刃１４を５個などで交互に配設されてもよい。
【００１７】上記、防護刃形先端及び防護刈刃先端の回転軌跡より内方向とは、円形状の平板の中心に向かう方向である。防護刃形及び刈払い刃形の前端部とは、刃形の回転方向側である。
【００１８】本発明は以上の構成からなるので、刈払機用回転刃の使用方法及び機能を図４、図２に基づいて説明する。図４に示すように、刈払機の駆動シャフト先端１６に刈払機用回転刃Ａａを装着し、刈払機用回転刃Ａａを高速回転させて作業面を右から左に移動させながら刈払い作業を行う。
刈払い作業面に障害物が無く雑草のみの場合は、図２に示すように円形状の平板の外周縁２に配設した防護刈刃８及び刈払い刈刃１２の超硬製の刈刃６は作業初めから良好な刈払い機能を長く維持する。しかし、刈払い作業面に雑草以外の石やコンクリートなどが混在すると、本発明の特徴である防護刈刃８は刈払い機能以外に防護機能も発揮する。
【００１９】図２、図４で示す、円形状の平板の外周縁２に防護刈刃８を２個及び刈払い刈刃１２を４個で交互に配設することにより、防護刈刃８が６箇所の合計１２個、刈払い刈刃１２が６箇所の合計２４個が配設された刈払機用回転刃Ａａで説明する。
高速回転している防護刈刃先端の回転軌跡Ｃに障害物Ｂが接触すると、最初に防護刈刃８の２個が接触し、防護刈刃先端の回転軌跡Ｃより１ミリ程度内方向に位置する刈払い刈刃１２の４個を飛び越えて次の防護刈刃８の２個に接触する。此れを一周にわたって繰り返すことにより、障害物Ｂは６箇所で合計１２個の防護刈刃８のみに接触する。けっか、６箇所で合計２４個の刈払い刈刃１２は障害物Ｂとの接触を免れて、良好な刈払い機能が長期間維持される。
図４で示すように、障害物Ｂに刈払機用回転刃Ａａが接触した場合は、防護刈刃８の防護機能により障害物Ｂより軽い刈払機用回転刃Ａａは弾き返される。けっか、刈払い刈刃１２は障害物Ｂとの接触を免れる。
【００２０】次に、第３の実施の段違い刈払い刈刃１４の刈払い機能を図２、図３に基づいて説明する。図２で示すように、防護刈刃８の次に位置する刈払い刈刃１２ａは防護刈刃８との段差が大きい。けっか、回転中に刈払い刈刃１２ａは防護刈刃８の影に入るために草が掛かり難く、充分な刈払い機能を発揮できない可能性が有る。
図３で示す段違い刈払い刈刃１４は、防護刈刃８との段差を最小にするために１ミリ以下の微細な段差が階段状に設けられている。けっか、回転中の段違い刈払い刈刃１４は防護刈刃８の影を避けられるために草が掛かり易く、良好な刈払い機能を発揮する。
【符号の説明】
【００２１】２      円形状の平板の外周縁
４      防護刃形
６      超硬製の刈刃
８      防護刈刃
１０    刈払い刃形
１１    複数の刈払い刃形
１２    刈払い刈刃
１２ａ  防護刈刃の次に位置する刈払い刈刃
１４    段違い刈払い刈刃
１６    駆動シャフト先端
Ａ、Ａａ、Ａｂ  刈払機用回転刃
Ｂ      障害物
Ｃ      防護刈刃先端の回転軌跡
【図１】
2016096817.tif 000003
【図２】
2016096817.tif 000004
【図３】
2016096817.tif 000005
【図４】
2016096817.tif 000006